(57)【要約】【課題】排泥ピットを浅く形成しても、汚泥の排出を効率よく行うことができる沈殿池を提供する。【解決手段】排泥ピット１３内に、排泥口１４の開口高さより高い位置で、かつ、池底より低い位置に、排泥口の上方を覆う山形形状の覆い板１８を、該覆い板の稜線を排泥口の軸線と平行にして排泥ピットを横切る状態に設けるとともに、排泥ピットの底面最高部より高い位置で、かつ、排泥口の開口高さより低い位置に水平方向の多孔板１９を設け、該多孔板の排泥口側端部１９ａを覆い板の側端部１８ｂにそれぞれ接続する。【選択図】図１
2018030084.tif 000002
【特許請求の範囲】
【請求項１】
池底に沈殿した汚泥を排泥ピットに向けて掻き寄せる往復動式の掻寄機を備え、前記排泥ピットの側面に排泥口を設けた沈殿池において、前記排泥ピット内に、前記排泥口の開口高さより高い位置で、かつ、池底より低い位置に、前記排泥口の上方乃至側方を覆う山形形状の覆い板を、該覆い板の稜線を排泥口の軸線と平行にして排泥ピットを横切る状態で設けるとともに、排泥ピットの底面最高部より高い位置で、かつ、前記排泥口の開口高さより低い位置に水平方向の多孔板を設け、該多孔板の排泥口側端部を前記覆い板の側端部にそれぞれ接続したことを特徴とする沈殿池。
【請求項２】
前記多孔板の上部に、前記掻寄機と一体に往復動する汚泥撹拌部材を設けたことを特徴とする請求項１記載の沈殿池。
【請求項３】
前記排泥ピットの底面を、前記排泥口に向かって下り勾配となる傾斜面で形成したことを特徴とする請求項１又は２項記載の沈殿池。
【請求項４】
前記排泥ピットの底面に、前記排泥口の軸線方向に、排泥ピットを横切る方向の第１ガイド溝を設け、該第１ガイド溝の側方部に、該第１ガイド溝と直交する方向の第２ガイド溝をそれぞれ設けるとともに、前記排泥ピットの底面を、各ガイド溝に向かって下り勾配となる傾斜面で形成したことを特徴とする請求項１又は２記載の沈殿池。
【発明の詳細な説明】
【技術分野】
【０００１】
本発明は、沈殿池に関し、詳しくは、池底に排泥ピットを備えるとともに、前記排泥ピットに向けて汚泥を掻き寄せる掻寄機を備えた沈殿池に関する。
【背景技術】
【０００２】
従来から、浄水処理などを行う水処理設備に設けられている沈殿池では、池底に沈殿した汚泥（フロック、スラッジ）を沈殿池から排出するため、池底の一側に排泥ピットを設けるとともに、該排泥ピットに向けて汚泥を掻き寄せるための掻寄機を設けるようにしている。また、汚泥の排出を効率よく行うため、排泥ピットの上部に多孔板を配置することが行われている（例えば、特許文献１参照。）。
【先行技術文献】
【特許文献】
【０００３】
【特許文献１】特開２０００−３４２９０６号公報
【発明の概要】
【発明が解決しようとする課題】
【０００４】
しかし、排泥ピットに設けられている排泥口の位置や開口方向、排泥ピットの深さ、多孔板の設置高さ、汚泥の量などの条件によっては、十分な排泥効率が得られないことがあった。特に、排泥ピットが浅く、多孔板と排泥口との距離が十分に取れない場合には、排泥ピット全体からの汚泥の排出が困難になるときがあった。
【０００５】
そこで本発明は、排泥ピットを浅く形成しても、汚泥の排出を効率よく行うことができる沈殿池を提供することを目的としている。
【課題を解決するための手段】
【０００６】
上記目的を達成するため、本発明の沈殿池は、池底に沈殿した汚泥を排泥ピットに向けて掻き寄せる往復動式の掻寄機を備え、前記排泥ピットの側面に排泥口を設けた沈殿池において、前記排泥ピット内に、前記排泥口の開口高さより高い位置で、かつ、池底より低い位置に、前記排泥口の上方乃至側方を覆う山形形状の覆い板を、該覆い板の稜線を排泥口の軸線と平行にして排泥ピットを横切る状態で設けるとともに、排泥ピットの底面最高部より高い位置で、かつ、前記排泥口の開口高さより低い位置に水平方向の多孔板を設け、該多孔板の排泥口側端部を前記覆い板の側端部にそれぞれ接続したことを特徴としている。
【０００７】
さらに、本発明の沈殿池は、前記多孔板の上部に、前記掻寄機と一体に往復動する汚泥撹拌部材を設けたことを特徴とし、前記排泥ピットの底面を、前記排泥口に向かって下り勾配となる傾斜面で形成したこと、あるいは、前記排泥ピットの底面に、前記排泥口の軸線方向に、排泥ピットを横切る方向の第１ガイド溝を設け、該第１ガイド溝の側方部に、該第１ガイド溝と直交する方向の第２ガイド溝をそれぞれ設けるとともに、前記排泥ピットの底面を、各ガイド溝に向かって下り勾配となる傾斜面で形成したことを特徴としている。
【発明の効果】
【０００８】
本発明の沈殿池によれば、排泥口の部分に覆い板を設けているので、排泥口近傍の多孔板部分に水路ができることがなくなり、多孔板全体から汚泥を流下させることができる。しかも、多孔板を低い位置に配置しているので、排泥ピットを浅く形成することができ、沈殿池の工事費などを削減できる。さらに、排泥ピットの底面に傾斜面を形成することにより、排泥ピット全体からの汚泥の排出を効果的に行うことができる。
【図面の簡単な説明】
【０００９】
【図１】本発明の沈殿池の一形態例を示す断面側面図である。
【図２】同じく断面正面図である。
【図３】同じく池底の形状を示す平面図である。
【図４】同じく池底の形状を示す断面正面図である。
【発明を実施するための形態】
【００１０】
図１乃至図４は本発明の沈殿池の一形態例を示している。本形態例に示す沈殿池１１は、各種水処理設備に設けられている沈殿池であって、流入原水中に含まれるフロック、スラッジなどの固形物を沈殿させ、池底１１ａに沈殿した固形物（汚泥）を往復動式の掻寄機１２によって沈殿池１１の流入側池底部に設けられた排泥ピット１３に掻き寄せ、排泥ピット１３の側面に設けられた排泥口１４から排出する構造を有している。なお、原水の流入経路や処理水の流出経路は、一般的な沈殿池と同様であるから、図示及び説明を省略する。
【００１１】
往復動式の掻寄機１２は、図示しない駆動源によって往復動される駆動部材１２ａと、該駆動部材１２ａに設けられた複数本の楔状のスクレーパ１２ｂとを有している。前記スクレーパ１２ｂは、排泥ピット１３側が鉛直方向の立ち上がり面、反対側が傾斜面となっており、スクレーパ１２ｂが排泥ピット１３に向けて前進したときに汚泥を掻き寄せ、後退したときに汚泥が傾斜面を乗り越えるように形成されている。
【００１２】
排泥口１４は、前記排泥ピット１３の側面の中央下部に、軸線を水平方向に向けて設けられており、この排泥口１４には、先端側が拡開したラッパ状吸込部材１４ａが装着されている。
【００１３】
排泥ピット１３は、沈殿池１１の流入側を池底１１ａより深く形成したものであって、排泥ピット１３の底面には、前記排泥口１４の軸線方向に、排泥ピット１３を横切る方向の第１ガイド溝１５が設けられるとともに、該第１ガイド溝１５の側方部に、該第１ガイド溝１５と直交する方向の一対の第２ガイド溝１６がそれぞれ設けられている。さらに、前記排泥ピット１３の底面は、十字形状に設けられた各ガイド溝１５，１６に向かって下り勾配となる傾斜面１７がそれぞれ形成されており、排泥ピット１３内に流下した汚泥を、傾斜面１７から各ガイド溝１５，１６に向けて流下させ、第１ガイド溝１５からラッパ状吸込部材１４ａに吸い込ませるように形成している。
【００１４】
また、排泥ピット１３内には、排泥口１４の上方乃至側方を覆う覆い板１８が排泥ピット１３を横切る状態で設けられている。この覆い板１８は、非通水性の板材によって形成されており、ラッパ状吸込部材１４ａの上方の最高部の稜線１８ａが前記排泥口１４のラッパ状吸込部材１４ａにおける先端周縁より高い位置で、かつ、沈殿池１１の池底１１ａより低い位置に配置され、両側の側端部１８ｂがラッパ状吸込部材１４ａの中心より低い位置の側方まで達した状態となっている。
【００１５】
さらに、排泥ピット１３内には、前記覆い板１８の両側で、排泥ピット１３の全体を覆う状態で水平方向の多孔板１９が設けられている。この多孔板１９は、前記傾斜面１７の最高部より高い位置で、かつ、前記ラッパ状吸込部材１４ａの先端上部周縁より低い位置に配置されており、排泥口側端部１９ａは、前記覆い板１８の側端部１８ｂに接続されている。
【００１６】
また、多孔板１９の上部には、撹拌機２０が設けられている。この撹拌機２０は、上端が前記掻寄機１２の駆動部材１２ａに連結された複数の支持部材２０ａと、該支持部材２０ａの下端に設けられた複数の汚泥撹拌部材２０ｂとで形成されており、掻寄機１２を作動させると、掻寄機１２と一体的に汚泥撹拌部材２０ｂが往復動して多孔板１９上の汚泥を撹拌するように形成されている。これにより、多孔板１９上の汚泥の一部に水路ができることを防止でき、多孔板１９の全体から汚泥を流下させることができるとともに、多孔板１９上で汚泥が固まることも防止できる。
【００１７】
このように形成した沈殿池は、排泥ピット１３に設けられる多孔板１９の中央部で、排泥口１４のラッパ状吸込部材１４ａの上方に覆い板１８を設けているので、排泥口近傍の多孔板部分に水路ができることがなくなり、多孔板１９の全体から汚泥を流下させることができる。これにより、排泥口１４に対して多孔板１９を低い位置に設けても、排泥ピット１３からの汚泥の排出を円滑に行うことができるので、排泥ピット１３を浅く形成することが可能となる。
【００１８】
したがって、沈殿池を新設する場合だけでなく、既存の沈殿池を改造する場合でも、排泥ピット１３を従来より浅く形成できるので、工事費などの削減を図れる。さらに、排泥口１４を排泥ピット１３の側面に設けることにより、排泥口１４を排泥ピット１３の底面に設ける場合に比べて設備費などの削減も図れる。
【００１９】
なお、沈殿池の全体的な構成及び掻寄機の構造は、周知の沈殿池と同様に形成することができ、流入側の構造や流出側の構造も、原水の状態や流量などに応じて適宜に設定することができる。また、排泥口のラッパ状吸込部材は、排泥ピットの底面積などに応じて適宜設ければよく、省略してもよい。さらに、排泥ピットの底面全体を、排泥口やラッパ状吸込部材の開口に向けた傾斜面としてもよい。また、覆い板の形状は、三角形状に限らず、半円形状などであってもよい。
【符号の説明】
【００２０】
１１…沈殿池、１１ａ…池底、１２…掻寄機、１２ａ…駆動部材、１２ｂ…スクレーパ、１３…排泥ピット、１４…排泥口、１４ａ…ラッパ状吸込部材、１５…第１ガイド溝、１６…第２ガイド溝、１７…傾斜面、１８…覆い板、１８ａ…稜線、１８ｂ…側端部、１９…多孔板、１９ａ…排泥口側端部、２０…撹拌機、２０ａ…支持部材、２０ｂ…汚泥撹拌部材
【図１】
2018030084.tif 000003
【図２】
2018030084.tif 000004
【図３】
2018030084.tif 000005
【図４】
2018030084.tif 000006